(57)【要約】【課題】ＵＷＢを採用する場合に、複数アプリケーションに対応する細かい品質保証を提供することができる無線通信装置を得ること。【解決手段】上位層から取得した他の装置への送信データに含まれる上位層の処理の種別を識別するための上位層識別子に基づいて、仮想的なデバイスアドレスである仮想デバイスアドレスを生成する仮想Device生成部９と、上位層識別子と仮想デバイスアドレスとの対応を保持し、他の装置への送信データを上位層から受け取った場合に、その送信データに含まれる上位層識別子に対応する仮想デバイスアドレスをデバイスアドレスとして付加する仮想Device振り分け部１０と、を備える。【選択図】図２
2010258563.tif 000002
【特許請求の範囲】
【請求項１】
上位層から取得した他の装置への送信データに含まれる上位層の処理の種別を識別するための上位層識別子に基づいて、仮想的なデバイスアドレスである仮想デバイスアドレスを生成する仮想デバイスアドレス生成手段と、
上位層識別子と前記仮想デバイスアドレス生成手段が生成した仮想デバイスアドレスとの対応を保持し、他の装置への送信データを上位層から受け取った場合に、その送信データに含まれる上位層識別子に対応する仮想デバイスアドレスをデバイスアドレスとして付加する仮想デバイス振り分け手段と、
を備えることを特徴とする無線通信装置。
【請求項２】
前記仮想デバイス振り分け手段が付加した仮想デバイスアドレスに基づいて送信データを仮想デバイスアドレスと対応付けて仮想デバイスアドレスごとに分類し、仮想デバイスアドレスごとに、対応する分類した送信データを送信データに含まれる品質要求の度合いを示す品質クラスの識別子に基づいて送信データを品質クラスごとに保持するデバイスアドレス毎品質クラス分け手段と、
仮想デバイスごとに、各品質クラスに対応する品質要求に基づいて重み付けを行い、その重み付けに基づいて前記デバイスアドレス毎品質クラス分け手段が保持している送信データの読み出しを前記デバイスアドレス毎品質クラス分け手段へ指示するデバイスアドレス毎スケジューリング手段と、
をさらに備え、
前記デバイスアドレス毎品質クラス分け手段は、前記デバイスアドレス毎スケジューリング手段の指示に基づいて保持している送信データ読み出し、前記デバイスアドレス毎スケジューリング手段は、前記デバイスアドレス毎品質クラス分け手段が読み出した送信データを送信先の装置に向けて送信する、
ことを特徴とする請求項１に記載の無線通信装置。
【請求項３】
前記仮想デバイスアドレスを１つの実際のデバイスに対して複数生成することを特徴とする請求項１または２に記載の無線通信装置。
【請求項４】
前記仮想デバイスアドレスを１つの実際のデバイスに対して１つ以上生成することを特徴とする請求項２に記載の無線通信装置。
【請求項５】
前記上位層識別子をプロトコルの識別子とすることを特徴とする請求項１〜４のいずれか１つに記載の無線通信装置。
【請求項６】
上位層としてＩＰ層を含むことを特徴とする請求項１〜５のいずれか１つに記載の無線通信装置。
【請求項７】
上位層としてＵＳＢ規格に対応する処理層を含むことを特徴とする請求項１〜６のいずれか１つに記載の無線通信装置。
【請求項８】
仮想デバイスアドレスごとに、送信データを暗号化して送信することを特徴とする請求項１〜７のいずれか１つに記載の無線通信装置。
【請求項９】
請求項１〜７のいずれか１つに記載の無線通信装置と、
前記無線通信装置から送信されたデータを受信する無線受信装置と、
を含むことを特徴とする無線通信システム。
【請求項１０】
請求項８に記載の無線通信装置と、
前記無線通信装置から送信されたデータを受信し、受信したデータを復号化する無線受信装置と、
を含むことを特徴とする無線通信システム。
【発明の詳細な説明】
【技術分野】
【０００１】
本発明は、ＵＷＢ（Ultra  Wide  Band）方式で通信を行う無線通信装置および無線通信システムに関する。
【背景技術】
【０００２】
近年の近距離の無線通信方式の１つとして、大容量の伝送を実現するＵＷＢがある。ＵＷＢでは、デバイス毎（通信を行うハードウェア毎）に１６ビットのDevaddr（デバイス・アドレス）をもつ。そして、ＵＷＢでは、各デバイスが自身のDevaddrを含むBeaconを送信し、接続時には、他のデバイスから送信されているBeacon内のDevaddr（他のデバイスのDevaddr）と衝突しないように、乱数を発生させて自身のDevaddrを決定して、所定の接続処理を行い、通信を行う。
【０００３】
ＵＷＢと上位層との接点であるＭＡＣ−ＳＡＰ（Media  Access  Control  Service  Access  Point）では、ＥＵＩ（Extended  Unique  Identifier）−４８で規定されている４８ビットのＭＡＣアドレス形態を１６ビットのDevaddrに１対１に対応させる仕組みとなっている。
【０００４】
一方、ＵＷＢでは制御方式として、Distributed  Reservation  Protocol（ＤＲＰ）方式と、Prioritized  Contention  Access（ＰＣＡ）の２つの制御方式と、これら両方式のハイブリットの方式と、が定義されている。ＤＲＰ方式では、タイムスロットベースの帯域保証型のアクセス制御を行い、ＰＣＡでは、無線ＬＡＮ（Local  Area  Network）と同様に、衝突した場合に優先度をつけて送信を行うアクセス制御を行う。また、ＤＲＰ方式では、Devaddrに基づいて各デバイスへのタイムスロットの割付を接続時に決定して通信を行う。
【先行技術文献】
【非特許文献】
【０００５】
【非特許文献１】Standard  ECMA−368  High，“Rate  Ultra  Wideband  PHY  and  MAC  Standard”，December  2007
【発明の概要】
【発明が解決しようとする課題】
【０００６】
ＵＷＢでは、上位層がＩＰ（Internet  Protocol）などの場合には、要求品質が異なる複数アプリケーションに対応する場合がある。しかしながら、上記従来のＵＷＢの技術によれば、ＭＡＣアドレスに対応するDevaddrが１つである。そのため、アクセス制御をＤＲＰ方式とした場合には、１つのタイムスロットしか確保できないため、複数アプリケーションに対応して要求品質ごとのきめ細かい品質保証（Quality  of  Service）を提供できない、という問題があった。
【０００７】
本発明は、上記に鑑みてなされたものであって、ＵＷＢを採用する場合に、複数アプリケーションに対応する細かい品質保証を提供することができる無線通信装置および無線通信システムを得ることを目的とする。
【課題を解決するための手段】
【０００８】
上述した課題を解決し、目的を達成するために、本発明は、上位層から取得した他の装置への送信データに含まれる上位層の処理の種別を識別するための上位層識別子に基づいて、仮想的なデバイスアドレスである仮想デバイスアドレスを生成する仮想デバイスアドレス生成手段と、上位層識別子と前記仮想デバイスアドレス生成手段が生成した仮想デバイスアドレスとの対応を保持し、他の装置への送信データを上位層から受け取った場合に、その送信データに含まれる上位層識別子に対応する仮想デバイスアドレスをデバイスアドレスとして付加する仮想デバイス振り分け手段と、を備えることを特徴とする。
【発明の効果】
【０００９】
本発明によれば、仮想デバイスアドレス生成手段が、プロトコルごとに仮想デバイスアドレスを生成して、仮想デバイスアドレスを通常のデバイスアドレスと同様に用いて通信を行うようにしたので、ＵＷＢを採用する場合に、複数アプリケーションに対応する細かい品質保証を提供することができる、という効果を奏する。
【図面の簡単な説明】
【００１０】
【図１】図１は、実施の形態１のＵＷＢ装置の機能構成例を示す図である。
【図２】図２は、実施の形態１のＵＷＢ装置のＭＡＣ部の送信機能に関する構成例を示す図である。
【図３】図３は、実施の形態１のＵＷＢ装置のＭＡＣ部の受信機能に関する構成例を示す図である。
【図４】図４は、実施の形態２のＵＷＢ装置のＭＡＣ部の送信機能に関する構成例を示す図である。
【図５】図５は、実施の形態３のＵＷＢ装置のＭＡＣ部の送信機能に関する構成例を示す図である。
【図６】図６は、実施の形態３のＵＷＢ装置のＭＡＣ部の受信機能に関する構成例を示す図である。
【発明を実施するための形態】
【００１１】
以下に、本発明にかかる無線通信装置の実施の形態を図面に基づいて詳細に説明する。なお、この実施の形態によりこの発明が限定されるものではない。
【００１２】
実施の形態１．
図１は、本発明にかかるＵＷＢ装置の実施の形態１の機能構成例を示す図である。図１に示すように、本実施の形態のＵＷＢ装置は、無線信号の送受信を行うアンテナ１と、所定の送受処理を行うＲＦ（Radio  Frequency）部２と、ＵＷＢの物理層の処理を行う物理層（ＰＨＹ）部３と、ＵＷＢのＭＡＣ層の処理を行うＭＡＣ部４と、ＵＷＢの上位層である、ＩＰ層やＵＳＢ（Universal  Serial  Bus）などの処理を行う上位層部５と、各々のアプリケーション処理を行うアプリケーション６−１〜６−Ｎ（Ｎは２以上の整数）と、で構成され、他のＵＷＢ装置２０と無線通信を行う。なお、本実施の形態では、本発明にかかる無線通信装置としてＵＷＢ装置を例に挙げて説明する。
【００１３】
また、図１に示すように、ＲＦ部２とＰＨＹ部３とのインタフェースは、ＵＷＢのＰＨＹ−ＳＡＰであるＰＨＹ−ＳＡＰ２１とし、ＭＡＣ部４と上位層５のインタフェースは、ＵＷＢのＭＡＣ−ＳＡＰであるＭＡＣ−ＳＡＰ２２とする。
【００１４】
アプリケーション６−１〜６−Ｎは、アプリケーションデータを上位層部５へ送信し、上位層部５はアプリケーションデータに所定の上位層の処理を実施してＭＡＣ部４へ送信する。ＭＡＣ部４は、上位層部５から受信したデータに所定のＵＷＢのＭＡＣ層の処理を実施して、処理後のデータをＰＨＹ部３，ＲＦ部２，アンテナ１経由で他のＵＷＢ装置２０へ送信する。また、他のＵＷＢ装置２０から送信されたパケットは、アンテナ１，ＲＦ部２，ＰＨＹ部３経由でＭＡＣ層が受信し、受信したパケットに所定のＵＷＢのＭＡＣ層の処理を実施し上位層部５へ送信する。上位層部５は、ＭＡＣ部４から受信したパケットに所定の上位層処理を実施してアプリケーション６−１〜６−Ｎへ送信する。
【００１５】
図２は、本実施の形態のＵＷＢ装置のＭＡＣ部４の送信機能に関する構成例を示す図である。図２に示すように、本実施の形態のＵＷＢ装置のＭＡＣ部４は、送信機能として、「Standard  ECMA−368  High，“Rate  Ultra  Wideband  PHY  and  MAC  Standard”」に記載されているMAC  Sublayer  Management  Entityの機能を有するMAC  Sublayer  Management  Entity（ＭＬＭＥ）７と、Device  Management  Entityの機能を有するDevice  Management  Entity（ＤＭＥ）８と、を備え、さらに、仮想Device生成部９と、仮想Device振り分け部１０と、ＤＲＰ／ＰＣＡ部１１と、パケット送信部１２と、を備えている。
【００１６】
仮想Device生成部９は、１つの実際のデバイスに対して複数の仮想的なDevaddrである仮想Devaddrを静的または動的に生成する。動的に仮想Devaddrを生成する場合、仮想Device生成部９は、上位層部５から受け取ったパケットの上位層のアプリケーションのヘッダを参照し、そのヘッダに基づいてそのプロトコルの初めてのデータ受信であるか否かを判断し、初めてのデータ受信である場合に仮想Devaddrを生成する。なお、ここでは、アプリケーション６−１〜６−Ｎごとにプロトコルが異なるとする。たとえば、上位層がＩＰ層の場合には、ＩＰヘッダ内のプロトコル情報を参照して、そのプロトコルについての新規データである場合には、仮想的なDevaddrの生成を行う。また、静的に仮想Devaddrを生成する場合は、仮想Device生成部９は、たとえば、あらかじめＤＭＥ８にコンフィギュレーション（たとえば、Wireless  USBなど）を保持しておき、起動時にＤＭＥ８からそのコンフィギュレーションの情報を取得して、コンフィギュレーションに含まれるデバイスに対して仮想Devaddrの生成を行う。
【００１７】
また、仮想Device生成部９は、たとえば、上位層がＩＰ層であり、レイヤ２であらかじめＶＬＡＮ（Virtual  ＬＡＮ）によりセグメント化されている場合には、そのＶＬＡＮの数分の仮想Devaddrの設定を行う。なお、仮想Devaddrは、従来技術と同様に、他のＵＷＢ装置から送信されているBeacon内のDevaddrと衝突しないように、乱数を発生させて決定する。
【００１８】
ＭＡＣ部４では、仮想Devaddrを生成すると、その仮想Devaddrを通常のDevaddrと同様に用いて他のＵＷＢ装置２０との間で所定の接続処理を行う。したがって、ＤＲＰ方式で制御を行う場合、従来技術では、デバイスごとの固有のDevaddrごとにタイムスロットが割り当てられるが、本実施の形態では仮想Devaddrごとにタイムスロットが割り当てられることになる。
【００１９】
他のＵＷＢ装置２０と接続処理の完了後は、パケットの送受信を開始する。ＭＡＣ部４の仮想Device振り分け部１０は、仮想Device生成部９から仮想Devaddrとプロトコルとの対応を取得しておき、上位層部５から受信したパケットを、ヘッダに含まれるプロトコル情報に基づいて仮想Devaddr毎に振り分け、振り分けたパケットに対応する仮想Devaddrを付加し、ＤＲＰ／ＰＣＡ部１１へ送出する。ＤＲＰ／ＰＣＡ部１１は、仮想Device振り分け部１０から受け取ったパケットをＤＲＰ方式またはＰＣＡ方式に基づいてパケット送信部１２を経由してＰＨＹ部３へ送信する。ＤＲＰ方式を採用する場合には、ＤＲＰ／ＰＣＡ部１１は、仮想Device生成部９で付与された仮想Devaddrに対して割り付けられたタイムスロットで、その仮想Devaddrに対応するパケットのデータ送信を行う。
【００２０】
図３は、本実施の形態のＵＷＢ装置のＭＡＣ部４の受信機能に関する構成例を示す図である。図３に示すように、本実施の形態のＵＷＢ装置のＭＡＣ部４は、受信機能として、送信機能で説明したMAC  Sublayer  Management  Entity（ＭＬＭＥ）７と、Device  Management  Entity（ＤＭＥ）８と、を備え、さらに、仮想Device変換部１３と、仮想Device振り分け部１４と、パケット受信部１５と、を備える。
【００２１】
パケット受信部１５は、他のＵＷＢ装置２０からアンテナ１，ＲＦ部２，ＰＨＹ部３経由で受信したパケットに含まれるDevaddrが、自身が保持している仮想Devaddrと一致した場合には、そのパケットに対するＡｃｋ（ACKnowledgement）を返送する。また、パケット受信部１５は、受信したパケットを仮想Device振り分け部１４へ送信する。仮想Device振り分け部１４は、パケット受信部１５から受信したパケットを仮想Devaddrごとに振り分け、振り分けたパケットを仮想Device変換部１３へ送信する。仮想Device変換部１３は、仮想DevaddrをＥＵＩ−４８で規定されている４８ビットのＭＡＣアドレスに変換して上位層部５へ送信する。
【００２２】
なお、ここでは、アプリケーション６−１〜６−Ｎごとにプロトコルが異なる場合を例に説明したが、アプリケーション６−１〜６−Ｎのうち２つ以上が同一のプロトコルを用いる場合に、本実施の形態の動作を適用してもよい。その場合には、プロトコルごとに仮想Devaddrを生成するようにしてもよいし、アプリケーションを識別し、アプリケーションごとに仮想Devaddrを生成してもよい。また、ここでは、プロトコルごとに仮想Devaddrを生成するようにしたが、これに限らず、アプリケーションに応じて仮想Devaddrを複数生成する方法であればどのような方法でもよい。たとえば、２つ以上のプロトコルを１つのグループとし、グループに対して仮想Devaddrを割り当てるようにしてもよい。
【００２３】
以上のように、本実施の形態では、仮想Device生成部９が、プロトコルごとに仮想Devaddrを生成して、仮想Devaddrを通常のDevaddrと同様に用いて通信を行うようにした。そのため、ＤＲＰ方式を採用する場合に、複数のアプリケーション６−１〜６−Ｎに対応するプロトコルごとにタイムスロットを割り当てることができ、アプリケーション６−１〜６−Ｎの要求品質ごとのきめ細かい品質保証（Quality  of  Service）を提供することができる。
【００２４】
実施の形態２．
図４は、本発明にかかるＵＷＢ装置の実施の形態２のＭＡＣ部の送信機能に関する構成例を示す図である。本実施の形態のＵＷＢ装置の全体の構成は、実施の形態１のＭＡＣ部４を本実施の形態のＭＡＣ部に替える以外は実施の形態１と同様である。以下、実施の形態１と異なる部分について説明する。
【００２５】
図４に示すように、本実施の形態のＵＷＢ装置のＭＡＣ部は、送信機能としては、実施の形態１のＤＲＰ／ＰＣＡ部１１をＤＲＰ／ＰＣＡ部１１ａに替える以外は、実施の形態１のＭＡＣ部４と同様である。実施の形態１と同一の機能を有する構成要素は実施の形態１と同一の符号を付して説明を省略する。
【００２６】
本実施の形態のＤＲＰ／ＰＣＡ部１１ａは、仮想Device（仮想Devaddrを割当てた対象）にそれぞれ対応する、仮想Device毎品質クラス振り分け部１６−１〜１６−Ｎと、仮想Device毎スケジューリング部１７−１〜１７−Ｎと、を備え、さらに、仮想Device選択スケジューリング部１８と、を備える。なお、図４では、簡略化のため、仮想Device毎品質クラス振り分け部１６−１および仮想Device毎スケジューリング部１７−１のみを記載しているが、仮想Device毎品質クラス振り分け部および仮想Device毎スケジューリング部は仮想Device毎に備えることとする。ここでは仮想Deviceの数を＃１〜＃ＮまでのＮ個とする。
【００２７】
仮想Device毎品質クラス振り分け部１６−１〜１６−Ｎは、仮想Device振り分け部１０によって仮想Device毎に振り分けられたパケットを、それぞれ対応する仮想Deviceのパケットについて、品質クラス毎に振り分け、品質ごとのキューに出力する。たとえば、品質クラスが＃Ａ，＃Ｂ，＃Ｃの３種類ある場合に、それぞれに対応するキューへパケットを出力する。たとえば、上位層がＩＰの場合のＴｏＳ（Type  of  Service）フィールドやＶＬＡＮの場合のＣｏＳ（Class  of  Service）フィールドなどの品質クラスを用いて振り分けを行う。
【００２８】
ＤＲＰ方式で動作する場合には、あらかじめタイムスロットが決まっているので、仮想Device選択スケジューリング部１８は、対応する仮想Devaddrの送信タイムスロットになった場合に、仮想Device毎スケジューリング部１７−１〜１７−Ｎにそれぞれ送信を指示する。そして指示を受けた仮想Device毎スケジューリング部１７−１〜１７−Ｎが起動して、指示されたタイミングで各キューから送信するパケットを読み出してパケット送信部１２へ送信を行う。仮想Device毎スケジューリング部１７−１〜１７−Ｎは、品質毎に要求される速度や遅延などの情報に基づいて重み付けを行いその重み付けに従い送信を行う。
【００２９】
一方、ＰＣＡ方式で動作する場合にはタイムスロットで区切られていないので、ＰＣＡ区間で送信できるタイミングの際に、送信する仮想Device（仮想Devaddr）を指定する動作となる。ＰＣＡ方式の場合は、仮想Device毎スケジューリング部１７−１〜１７−Ｎは、「Standard  ECMA−368  High，“Rate  Ultra  Wideband  PHY  and  MAC  Standard”」に記載されている８つのアクセスカテゴリ構成をとっても構わないし、ユーザ独自でアクセスカテゴリを定義しても構わない。以上述べた以外の本実施の形態の動作は実施の形態１と同様である。
【００３０】
なお、本実施の形態では、１つの実際のデバイスについて複数の仮想Devaddrを割当てる仮想Deviceを複数としたが、これに限らず、実際の１つのデバイスに対して仮想Deviceを１つとなる場合に、本実施の形態の動作を適用してもよい。この場合、その仮想Deviceに割り当てられたタイムスロット内で、品質クラスに応じたスケジューリングを行うことになる。
【００３１】
以上のように、本実施の形態では、ＤＲＰ／ＰＣＡ部１１ａが、仮想Devaddr毎に、仮想Device毎品質クラス振り分け部を備え、仮想Device毎品質クラス振り分け部が、対応する仮想Devaddrのパケットを品質クラスごとに振り分け、品質クラスごとの重み付けに基づいて振り分けたパケットを送信するようにした。そのため、実施の形態１の効果に加え、さらに、品質クラスに応じたきめ細かい制御を行うことができる。
【００３２】
実施の形態３．
図５は、本発明にかかるＵＷＢ装置の実施の形態３のＭＡＣ部の送信機能に関する構成例を示す図である。本実施の形態のＵＷＢ装置の全体の構成は、実施の形態１のＭＡＣ部４を本実施の形態のＭＡＣ部に替える以外は実施の形態１と同様である。以下、実施の形態１と異なる部分について説明する。
【００３３】
図５に示すように、本実施の形態のＵＷＢ装置のＭＡＣ部は、送信機能としては、実施の形態１のパケット送信部１２をパケット送信部１２ａに替える以外は、実施の形態１のＭＡＣ部４と同様である。実施の形態１と同一の機能を有する構成要素は実施の形態１と同一の符号を付して説明を省略する。
【００３４】
本実施の形態では、セキュリティ対策のため仮想Device毎に暗号化を行う。パケット送信部１２ａは、仮想Device毎にキーの元となるＰＭＫ（Pairwise  Master  Key）を保持しておき、仮想Device毎に他のＵＷＢ装置２０と接続を行う際に独立にキーの交換を行う。そして、パケット送信部１２ａは、ＰＭＫに基づいて生成したキーを用いてパケットの送信を行う。
【００３５】
図６は、本実施の形態のＵＷＢ装置のＭＡＣ部の受信機能に関する構成例を示す図である。図６に示すように、本実施の形態のＵＷＢ装置のＭＡＣ部は、受信機能としては、実施の形態１のパケット受信部１５をパケット受信部１５ａに替える以外は、実施の形態１のＭＡＣ部４と同様である。実施の形態１と同一の機能を有する構成要素は実施の形態１と同一の符号を付して説明を省略する。
【００３６】
本実施の形態では、パケット受信部１５ａが、他のＵＷＢ装置２０から受信するパケットを、仮想Device（仮想Devaddr）毎にその仮想Deviceに対応するＰＭＫに基づいて生成したＰＴＫ（Pairwise  Transient  Key）を用いて復号化を行う。復号化されたパケットは仮想Device振り分け部１４を経由して仮想Device変換部１３に送信される。以上述べた以外の本実施の形態の動作は、実施の形態１と同様である。
【００３７】
なお、本実施の形態では、ＰＭＫ，ＰＴＫを用いた暗号化を例に説明したが、仮想Device毎に暗号化を行うようにすれば、暗号化の方法はこれに限らず、どのような方法を用いてもよい。
【００３８】
なお、本実施の形態では、実施の形態１のＵＷＢ装置のパケット送信部１２，パケット受信部１５をそれぞれパケット送信部１２ａ，パケット受信部１５ａに替える構成としたが、これに限らず、実施の形態２のＵＷＢ装置のパケット送信部１２，パケット受信部１５をそれぞれパケット送信部１２ａ，パケット受信部１５ａに替える構成とし、同様に暗号化の処理を行うようにしてもよい。
【００３９】
以上のように、本実施の形態では、パケッとの送信時には、パケット送信部１２ａが仮想Device毎にパケットを暗号化して送信し、パケットの受信時には、パケット受信部１５ａが、仮想Device毎に暗号化されたパケットを復号化するようにした。そのため、実施の形態１と同様の効果が得られるとともに、実施の形態１に比べセキュリティを向上させることができる。
【産業上の利用可能性】
【００４０】
以上のように、本発明にかかる無線通信装置および無線通信システムは、ＵＷＢ方式で通信を行う無線通信システムに有用であり、特に、複数のアプリケーションに対応する無線通信システムに適している。
【符号の説明】
【００４１】
１  アンテナ
２  ＲＦ部
３  ＰＨＹ部
４  ＭＡＣ部
５  上位層部
６−１〜６−Ｎ  アプリケーション
７  MAC  Sublayer  Management  Entity（ＭＬＭＥ）
８  Device  Management  Entity（ＤＭＥ）
９  仮想Device生成部
１０  仮想Device振り分け部
１１，１１ａ  ＤＲＰ／ＰＣＡ部
１２，１２ａ  パケット送信部
１３  仮想Device変換部
１４  仮想Device振り分け部
１５，１５ａ  パケット受信部
１６−１〜１６−Ｎ  仮想Device毎品質クラス振り分け部
１７−１〜１７−Ｎ  仮想Device毎スケジューリング部
１８  仮想Device選択スケジューリング部
２０  他のＵＷＢ装置
２１  ＰＨＹ−ＳＡＰ
２２  ＭＡＣ−ＳＡＰ
【図１】
2010258563.tif 000003
【図２】
2010258563.tif 000004
【図３】
2010258563.tif 000005
【図４】
2010258563.tif 000006
【図５】
2010258563.tif 000007
【図６】
2010258563.tif 000008